(57)【要約】      （修正有）【課題】コンクリートミキサー車の洗浄時に排出されるスラリー状の残存生コンクリート等を脱水処理する装置であって、労力が掛からず、管理が容易な脱水処理装置を提供する。【解決手段】コンクリートスラリーが収容される汚泥槽１の側面に水切ゲート６ｂを設け、コンクリートスラリーの水分を水切ゲートから流出させると共に、汚泥槽にはその底面から斜め上方に連なる傾斜面２０を形成し、その上端部に排出口２１およびコンベヤ駆動機構を設け、駆動機構によって駆動され汚泥槽の底面２から傾斜面２０に亘って巡回動するようにチェーンコンベヤ３５を汚泥槽内に配設し、チェーンコンベヤには適宜間隔でレーキ３８が装着され、チェーンコンベヤが巡回動しレーキが汚泥槽の底面から傾斜面に沿って移動することにより、汚泥槽に沈降した半固結状態のコンクリートスラリーがレーキによって掬い上げられ排出口２１から排出されるようにした。【選択図】図３
2009208278.tif 000002
【特許請求の範囲】
【請求項１】
コンクリートスラリーが収容される汚泥槽の側面に水切ゲートを設け、該コンクリートスラリーの水分を該水切ゲートから流出させるようにすると共に、該汚泥槽にはその底面から斜め上方に連なる傾斜面を形成し、該傾斜面の上端部に排出口およびコンベヤ駆動機構を設け、該駆動機構によって駆動され該汚泥槽の底面から傾斜面に亘って巡回動するようにチェーンコンベヤを該汚泥槽内に配設し、該チェーンコンベヤには適宜間隔でレーキが装着され、該チェーンコンベヤが巡回動し該レーキが該汚泥槽の底面から傾斜面に沿って移動することにより、該汚泥槽に沈降した半固結状態のコンクリートスラリーが該レーキによって掬い上げられ前記排出口から排出されるようにしたことを特徴とする残存生コンクリート脱水処理装置。
【請求項２】
チェーンコンベヤを低速度で逆方向に巡回動させることにより、コンクリートスラリーの汚泥槽内での固結が防止されるようにした請求項１に記載の残存生コンクリート脱水処理装置。
【発明の詳細な説明】
【技術分野】
【０００１】
本発明は、コンクリートミキサー車を洗浄したときに洗浄水とともに排出されるスラリー状の残存生コンクリートを脱水処理する装置に関するものである。
【背景技術】
【０００２】
一般に生コン工場では、コンクリートミキサー車のドラム内に余剰となって残存し、洗浄時に洗浄水とともに排出されたスラリー状の残存生コンクリートを処理するに際して、トロンメルまたは傾斜簀子等の粗骨材回収装置に導いて該残存生コンクリート中から粗骨材を分離回収し、さらにクラッシフアイア等の細骨材回収装置に導いて砂などの細骨材を分離回収し、次いでこのスラリーを撹拌槽に導き上澄水を回収すると共に、該撹拌槽にて沈降したスラッジ水を高圧ポンプによりフィルタープレスに圧送して脱水し、濾滓（以下、脱水ケーキという）として処理している。しかし、上記脱水ケーキは、セメント水和物の微小粒子であるので、そのまま海中或いは地中に投棄すると分散し公害のおそれがあり、未だ適当な処理方法が確率されていないことから産業廃棄物としての高価な処理費用を要するという問題がある。
【０００３】
また、ミキサー車から排出した残存生コンクリート等のコンクリートスラリーを地面に拡げていわゆる天日乾燥させた後、そのコンクリート塊をクラッシャーで破砕し、路盤材等として再利用することもなされている。しかし、天日乾燥による処理には広大な土地を必要とするので都会地での実施は困難であった。
【０００４】
また、下記特許文献１にも示されたように、従来から生コン工場の敷地内に底壁と正面壁と両側壁とからなるピットを形成し、該ピットの前面に多数の角材を横架状に段積してなる水切ゲートを形成し、該ピットに投入したコンクリートスラリーの水分を該水切ゲートの各角材の隙間から流出させることにより、脱水処理することが従来から行われている。
【特許文献１】特開２００５−２０５６３７号公報
【発明の開示】
【発明が解決しようとする課題】
【０００５】
ところで、特許文献１や特許文献２に示されたコンクリート脱水装置では、汚泥槽内に沈降させた砂、砂利等が固結してしまう前にこれらの固形状物を例えばスコップ、或いはショベルドーザーを使って外に掻き出す重作業が必要となり、しかもタイミングを逸すると固まってしまうので管理が難しいなど、使用に要する労力が多大であるという問題があった。
本発明は上記のような問題点を解消し得る残存生コンクリート脱水処理装置を提供しようとするものである。
【課題を解決するための手段】
【０００６】
そのために請求項１に記載した残存生コンクリート脱水処理装置の発明は、コンクリートスラリーが収容される汚泥槽の側面に水切ゲートを設け、該コンクリートスラリーの水分を該水切ゲートから流出させるようにすると共に、該汚泥槽にはその底面から斜め上方に連なる傾斜面を形成し、該傾斜面の上端部に排出口およびコンベヤ駆動機構を設け、該駆動機構によって駆動され該汚泥槽の底面から傾斜面に亘って巡回動するようにチェーンコンベヤを該汚泥槽内に配設し、該チェーンコンベヤには適宜間隔でレーキが装着され、該チェーンコンベヤが巡回動し該レーキが該汚泥槽の底面から傾斜面に沿って移動することにより、該汚泥槽に沈降した半固結状態のコンクリートスラリーが該レーキによって掬い上げられ前記排出口から排出されるようにしたことを特徴とする。
また請求項２に記載した発明は、上記残存生コンクリート脱水処理装置において、チェーンコンベヤを低速度で逆方向に巡回動させることにより、コンクリートスラリーの汚泥槽内での固結が防止されるようにしたことを特徴とする。
【発明の効果】
【０００７】
本発明に係る残存生コンクリート脱水処理装置によれば、半固結状態のコンクリートスラリーが機械的に掬い出されるので、従来のような多大な労力を要することなく使用できる。また、タイマーを設けることにより管理も容易になる。
【発明を実施するための最良の形態】
【０００８】
次に本発明の実施形態を説明する。図１はこの脱水処理装置の側面図、図２は平面図、図３は縦断面図である。汚泥槽１は、平面長方形状の水平な底面２の前部にＨ型鋼からなる支柱３ａ，３ｂが固設され、後部に一対の支柱４ａ，４ｂが固設され、該支柱３ａと支柱４ａの相対する内面、および支柱３ｂと支柱４ｂの相対する内面に断面コ字形の型鋼５，５がそれぞれ相対するように固着される。６ａ，６ｂは該型鋼５，５により両端部が支持される水切ゲートで、該水切ゲートは図４にも示されたように、複数本の木製の角材または丸太からなる棒状部材７を上下段に積み重ね、その前面および後面にフラットバー８を配置し、ボルト９を貫挿することにより該各棒状部材７を一つの板状に束ねてなる。また、１０は該水切ゲート６ａ，６ｂの締付装置で、型鋼５，５の外側面に突設された軸受片１１に回転軸１２を支持し、該回転軸１２に偏心輪１３およびハンドル１４を固設し、該ハンドル１４を持って該回転軸１２を回転操作することにより、該偏心輪１３がフラットバー８の前面パッド１７を押圧し、該水切ゲート６ａ，６ｂの両端部が型鋼５，５の内面に圧着されるようにしている。
また、支柱４，４の外側面にも一対の断面コ字形の型鋼５，５がそれぞれ相対するように固着され、該型鋼５，５により上記水切ゲート６ａ，６ｂと同様に棒状部材７を束ねることにより形成された水切ゲート１５の両端部が支持され、前記締付装置１０と同様に形成された締付装置１６を操作することにより該水切ゲート１５の両端部が型鋼５，５の内面に圧着されるようにしている。
【０００９】
また、汚泥槽１の底面２から斜め上方に連なるように水平面に対して約３０度傾斜した傾斜面２０を形成し、傾斜面２０の両側部を側壁板２２ａ，２２ｂにより包囲し、該傾斜面２０の上端部に排出口２１を設けると共に、該排出口２１の上部にコンベヤ駆動機構３０を設ける。駆動機構３０は、側壁板２２ａ，２２ｂの上方延長部に軸受２３ａ，２３ｂを固着し、該軸受に回転軸２４を軸支し、該回転軸２４に一対のスプロケット２５ａ，２５ｂを固設し、該回転軸２４の一端にスプロケット２６を固設し、据付台２７上にモータ２８とその減速機２９を設置し、該減速機２９の回転出力軸に固着されたスプロケット３１と前記スプロケット２６とに伝動チェーン３２を巻掛してなる。
【００１０】
そして、スプロケット２５ａ，２５ｂに、図９に示したように、多数のリンク３３，３４が連鎖され無端状にしたチェーンコンベヤ３５を巻掛する。該チェーンコンベヤ３５は、リンク３３，３４の幅寸法よりも大径のローラ３６を具備し、該リンク３４の側面に突設された舌片３７にレーキ３８の両端部をビス３９により固着している。該レーキ３８は、進行方向に向って前面に横断面Ｌ形の型鋼３８ａが垂直に対面し、該型鋼３８ａの後側面数箇所にリブ３８ｂを溶接し、該リブにより背面板３８ｃを約４５度の斜め上向きとなるように溶接により固着してなる。このようにして複数のレーキ３８をチェーンコンベヤ３５に約５００ｍｍの間隔で装着してなる。
【００１１】
また、汚泥槽１の底面２と傾斜面２０とが連接する部分の支柱３ａ，３ｂ内面に図５に示したようにチェーンガイド４０ａ，４０ｂ，４１ａ，４１ｂを固設する。また、該汚泥槽１の後部の支柱４ａ，４ｂ内面に図６に示したようにチェーン転向部材４２ａ，４２ｂを固設する。チェーンガイド４０ａ，４０ｂ，４１ａ，４１ｂは、それぞれ円弧状に形成された摺動面４３を有し、該摺動面の側縁に脱落防止用リム４４を形成してなる。なお、４５はチェーン転向部材４２ａ，４２ｂが両端部に固設された固定軸である。該チェーン転向部材４２ａ，４２ｂは円筒状の摺動面４６を有し、該摺動面の両側に脱落防止用リム４７を形成してなる。
【００１２】
そして、スプロケット２５ａ，２５ｂに巻掛されたチェーンコンベヤ３５は、側壁板２２ａ，２２ｂにより包囲された傾斜面２０上を下傾するように張設され、汚泥槽１中に入ってチェーンガイド４０ａ，４０ｂ，４１ａ，４１ｂに摺接して水平方向に導かれ、さらにその先がチェーン転向部材４２ａ，４２ｂに巻掛されることで該汚泥槽１内に水平に張設される。そして、コンベヤ駆動機構３０を駆動することにより該チェーンコンベヤ３５が矢印で示した方向に巡回動し、該チェーンコンベヤに装着された前記レーキ３８が汚泥槽１の底面２から傾斜面２０に沿って移動する。
【００１３】
このように構成した脱水処理装置では、ミキサー車のドラム内に残った残存生コンクリート、或いはミキサー車を洗浄したときに洗浄水とともに排出されるコンクリートスラリー５０を汚泥槽１に投入することで、該コンクリートスラリーの水分が水切ゲート６ａ，６ｂおよび水切ゲート１５の棒状部材７の隙間から流出し、該コンクリートスラリーの固形分が該汚泥槽１の底面２上に沈降し半固結状態となる。
【００１４】
そこで、チェーンコンベヤ３５を駆動し、レーキ３８を該底面２から傾斜面２０に向って移動させることにより半固結状態のコンクリートスラリー５０ａを該レーキ３８の型鋼３８ａ前面により押送し、汚泥槽１から掬い上げる。こうして汚泥槽１から掬い上げることにより該コンクリートスラリー５０ａは脱水状態となり、傾斜面２０上端部の排出口２１より排出される。こうして脱水されたコンクリートスラリー５０ａは、例えば別の乾燥場に運んで自然放置し適当な大きさの塊状物とすることで路盤材その他に使用できる。
【００１５】
なお、コンクリートスラリー５０を汚泥槽１に投入した際に、チェーンコンベヤ３５を低速度で逆方向に巡回動させ、レーキ３８の背面板３８ｃにより半固結状態となったコンクリートスラリー５０ａが逆方向に押送されるようにすることにより、該コンクリートスラリー５０ａが汚泥槽１内で固結するのを防ぐことができる。また、コンベヤ駆動機構３０を作動させるタイマー（図示せず）を設け、汚泥槽１にコンクリートスラリー５０を投入してから一定時間後または一定時間間隔で自動的にチェーンコンベヤ３５を逆方向に低速度で巡回動させ、半固結状態となったコンクリートスラリー５０ａが汚泥槽１内で固結するのを防止すると共に、該コンクリートスラリー５０ａが半固結状態となった時分に自動的に該チェーンコンベヤ３５を準方向に巡回動するように切り替え、該コンクリートスラリー５０ａが汚泥槽１から掬い上げられるようにすることにより、省力化ができると同時に管理も容易となる。
【００１６】
また、前記ハンドル１４を操作し締付装置１０，１６による水切ゲート６ａ，６ｂおよび水切ゲート１５の圧着を解いた後、該各水切ゲートにワイヤ（図示せず）を引っ掛けパワーショベル等によって該各水切ゲートを吊り上げて型鋼５，５中から抜き取ることにより、該各水切ゲートを簡単に着脱することができるので、棒状部材７の隙間が目詰まりするのを防止するために必要なメンテナンスも容易にすることができる。
【００１７】
また、図示していないが、前記傾斜面２０の下側にオイルヒータのような発熱源を設け、半固結状態となったコンクリートスラリー５０ａを加熱することにより、水分の蒸発が促進されるようにすることも可能である。
【産業上の利用可能性】
【００１８】
本発明の残存生コンクリート脱水処理装置は、この実施形態に示した生コン工場の他、コンクリート製品工場におけるミキサー，ホッパー等の設備を洗浄した際に生じるコンクリートを含んだ排水の処理にも使用することができる。
【図面の簡単な説明】
【００１９】
【図１】本発明の実施形態である残存生コンクリート脱水処理装置の側面図。
【図２】本発明の実施形態である残存生コンクリート脱水処理装置の平面図。
【図３】本発明の実施形態である残存生コンクリート脱水処理装置の縦断面図。
【図４】図３のＡ−Ａ線断面図。
【図５】図３のＢ−Ｂ線断面図。
【図６】図３のＣ−Ｃ線断面図。
【図７】図３の部分拡大図。
【図８】図７のＤ−Ｄ線断面図。
【図９】本発明の実施形態である残存生コンクリート脱水処理装置のチェーンコンベヤの部分断面斜視図。
【符号の説明】
【００２０】
１                汚泥槽
２                底面
６ａ，６ｂ        水切ゲート
７                棒状部材
１０              締付装置
１５              水切ゲート
２０              傾斜面
２１              排出口
３０              コンベヤ駆動機構
２８              モータ
３５              チェーンコンベヤ
３８              レーキ
４０ａ，４０ｂ，４１ａ，４１ｂ    チェーンガイド
４２ａ，４２ｂ    チェーン転向部材
５０，５０ａ      コンクリートスラリー
【図１】
2009208278.tif 000003
【図２】
2009208278.tif 000004
【図３】
2009208278.tif 000005
【図４】
2009208278.tif 000006
【図５】
2009208278.tif 000007
【図６】
2009208278.tif 000008
【図７】
2009208278.tif 000009
【図８】
2009208278.tif 000010
【図９】
2009208278.tif 000011